(57)【要約】【課題】ユーザの嗜好に応じた芳香を端末使用時のみ発散する折り畳み型携帯端末を簡単な構造で提供する。【解決手段】表示装置部１と入力装置部２とがヒンジ部１５を介して連結された折り畳み型携帯端末であって、芳香剤３１ａを内蔵した芳香カプセル３を入力装置部２内に備え、開かれた状態では、芳香剤３１ａから発散された芳香が、芳香カプセル３に形成された穴３ａを介して外部に放出され、折り畳まれた状態では、穴３ａが塞がれて、芳香剤３１ａは芳香カプセル３内に密封される。【選択図】        図１
2004157856.tif 000002
【特許請求の範囲】
【請求項１】
二つの筐体がヒンジ部を介して連結された折り畳み型携帯端末であって、
芳香の発散源を内蔵した容器をいずれか一方の筐体内に備え、
開かれた状態では、前記芳香の発散源から発散された芳香を、前記容器に形成された穴を介して前記筐体の外部に放出し、
折り畳まれた状態では、前記穴が塞がれて、前記芳香の発散源が前記容器内に密封されることを特徴とする折り畳み型携帯端末。
【請求項２】
前記容器が配置された筐体には、前記穴と所定の間隔を置いて弾性部材が配置され、
折り畳まれた状態においては、前記弾性部材が前記穴の側に付勢され、付勢された前記弾性部材が前記穴を塞ぐことを特徴とする請求項１記載の折り畳み型携帯端末。
【請求項３】
前記弾性部材が、ユーザが入力操作を行うためのキーと一体に形成されたことを特徴とする請求項２記載の折り畳み型携帯端末。
【請求項４】
折り畳まれた状態においては、前記容器が配置されていない側の筐体に形成された凸部が前記弾性部材を前記穴の側に付勢することを特徴とする請求項３記載の折り畳み型携帯端末。
【請求項５】
前記容器が、前記筐体に着脱可能に配置されたことを特徴とする請求項１から４のいずれか１項記載の折り畳み型携帯端末。
【請求項６】
二つの筐体がヒンジ部を介して連結された折り畳み型携帯端末であって、
前記ヒンジ部に芳香の発生源を内蔵した容器を備え、
開かれた状態では、前記容器に形成された第１の穴と前記ヒンジ部に形成された第２の穴とが連通して、前記芳香の発散源が発散した芳香を前記ヒンジ部の外部に放出し、
折り畳まれた状態では、前記第２の穴が塞がれて、前記芳香の発生源が前記容器内に密封されることを特徴とする折り畳み型携帯端末。
【請求項７】
前記容器が、前記ヒンジ部に着脱可能に配置されたことを特徴とする請求項６記載の折り畳み型携帯端末。
【発明の詳細な説明】
【０００１】
【発明の属する技術分野】
本発明は、ユーザの嗜好する芳香を発散する折り畳み型携帯端末に関し、特に、構造が簡単でユーザの嗜好に応じた芳香を端末使用時のみ発散する折り畳み型携帯端末に関する。
【０００２】
【従来の技術】
近年、インターネットや電子メールの利用者の増加に伴い、可搬性を備えた電子機器、すなわち携帯端末が普及している。その中でも、可搬性を向上させることを目的として、未使用時には端末を折り畳んだ状態にできる構造（すなわち、折り畳み構造）とした折り畳み型携帯端末が最も広く普及している。
【０００３】
折り畳み型携帯端末は、折り畳んだ状態での可搬性を確保するために、筐体の凹凸をできるだけ少なくしなければならない。このため、外観を独特の形状とすることは難しく、同種の携帯端末同士（例えば、携帯電話端末同士や電子手帳同士）では、外観上で他の携帯端末との差別化を図ることが難しかった。
【０００４】
また、同種の携帯端末の中で特定の機種に人気が集中すると、同じ機種の携帯端末を所有するユーザが多数存在するため、この機種のユーザは、多数の他者と同じ携帯端末を使用することとなる。これは、人気機種の携帯端末のユーザが没個性的となってしまう原因となっていた。
【０００５】
このため、同種又は同機種の携帯端末同士の間で差別化を図り特徴のある付加価値を付与することを目的として、携帯端末からユーザの嗜好に応じた芳香を継続的に発散させることが提案されている。
【０００６】
携帯端末から芳香を継続的に発散させる従来技術として、特許文献１に開示される「好臭発散携帯用機能物品」や、特許文献２に開示される「入力装置及び情報処理装置」がある。
これらの文献に開示される発明は、携帯端末に芳香の発生源を設け、ここからユーザの嗜好に応じた芳香を継続的に発散させるものである。
【０００７】
【特許文献１】
実開平５−７６１５３号公報
【特許文献２】
特開２００１−１４２６１０号公報
【０００８】
【発明が解決しようとする課題】
しかし、特許文献１に開示される発明は、芳香の発生源が筐体外部に常時露出した構造であるため、芳香の発散を中止することはできない。よって、睡眠時を始め、携帯端末を使用しない時にも芳香が発散してしまい、芳香の持続する期間が短くなってしまう。
【０００９】
芳香が持続する期間を長くするためには、芳香の発生源を筐体の内部に備えておき、芳香を発散させる必要がない場合には芳香の発生源を密封することが最も好ましい。
【００１０】
特許文献２に開示される発明は、芳香の発生源を筐体の内部に備えてはいるものの、芳香を筐体の外部に放出するために、キースイッチから芳香発生源に至る空気逃げ溝やスペーサなどを設ける必要があり、構造が複雑となって部品点数が増加してしまう。携帯端末においては部品点数が増加したり構造が複雑になってしまうことは、端末の携帯性を損なう原因となるため好ましいことではない。
【００１１】
本発明はかかる問題に鑑みてなされたものであり、ユーザの嗜好に応じた芳香を端末使用時のみ発散する折り畳み型携帯端末を簡単な構造で提供することを目的とする。
【００１２】
【課題を解決するための手段】
上記目的を達成するため、本発明は、第１の態様として、二つの筐体がヒンジ部を介して連結された折り畳み型携帯端末であって、芳香の発散源を内蔵した容器をいずれか一方の筐体内に備え、開かれた状態では、芳香の発散源から発散された芳香を、容器に形成された穴を介して筐体の外部に放出し、折り畳まれた状態では、穴が塞がれて、芳香の発散源が容器内に密封されることを特徴とする折り畳み型携帯端末を提供するものである。
【００１３】
上記本発明の第１の態様において、容器が配置された筐体には、穴と所定の間隔を置いて弾性部材が配置され、折り畳まれた状態においては、弾性部材が穴の側に付勢され、付勢された弾性部材が穴を塞ぐことが好ましく、これに加えて、弾性部材が、ユーザが入力操作を行うためのキーと一体に形成されることが好ましい。さらに加えて、折り畳まれた状態においては、容器が配置されていない側の筐体に形成された凸部が弾性部材を穴の側に付勢することがさらに好ましい。
【００１４】
また、上記本発明の第１の態様のいずれの構成においても、容器が、筐体に着脱可能に配置されたことが好ましい。
【００１５】
また、上記目的を達成するため、本発明は、第２の態様として、二つの筐体がヒンジ部を介して連結された折り畳み型携帯端末であって、ヒンジ部に芳香の発生源を内蔵した容器を備え、開かれた状態では、容器に形成された第１の穴とヒンジ部に形成された第２の穴とが連通して、芳香の発散源が発散した芳香をヒンジ部の外部に放出し、折り畳まれた状態では、第２の穴が塞がれて、芳香の発生源が容器内に密封されることを特徴とする折り畳み型携帯端末を提供するものである。
【００１６】
上記本発明の第２の態様において、容器が、ヒンジ部に着脱可能に配置されることが好ましい。
【００１７】
【発明の実施の形態】
〔第１の実施形態〕
本発明を好適に実施した第１の実施形態について説明する。
図１は、本発明を好適に実施した第１の実施形態にかかる携帯情報端末の斜視図である。また、図２は、第１の実施形態にかかる携帯情報端末を開いた状態での断面図である。
本実施形態にかかる携帯情報端末は、液晶表示装置を具備する表示装置部１とユーザが入力操作を行うためのキーボード２ａを具備する入力装置部２とがヒンジ部１５を枢軸として対向して折り畳まれる構造である。
【００１８】
表示装置部１は、モールド形成された上ケース１１及び上カバー１２を筐体として構成されている。また、入力装置部２は、下カバー２１及び下ケース２２と筐体として構成されている。キーボード２ａは、弾性体（例えばゴム）で形成されている。
【００１９】
上ケース１１のヒンジ部１５と反対側となる縁の略中央部には、鉤部１３が形成されている。鉤部１３は携帯情報端末を折り畳んだ状態の時は、下カバー２１に設けられた凹部２３内に係合係止され、端末が不意に開くことを防止する。
【００２０】
入力装置部２のヒンジ部１５と反対側となる端の略中央部には、ボタン２４が配置されており、これを押下することにより鉤部１３と凹部２３との係合が解除され、携帯情報端末を開くことのできる状態となる。
【００２１】
入力装置部２の両端に設けられたボタン２１ａは、垂直方向（キーボード２ａのキーのストロークと同方向）に所定量可動可能なように、キーボード２ａと一体に形成されている。携帯情報端末を折り畳んだ状態においては、上カバー１２と一体に形成された凸部１４が、ボタン２１ａを押下する。
【００２２】
なお、ボタン２１ａはキーボード２ａの操作の邪魔とならないように、下カバー２１から突出しないように配置されている。
【００２３】
モールド形成された芳香カプセル３には、芳香（例えば、香水、フルーツや花の香料）の発生源となる固形の芳香剤３１ａが内臓されており、頂点に穴３ａが形成された円錐部が設けられている。また、入力装置部２に内蔵されたプリント基板２５は、ボタン２１ａの直下に芳香カプセル３を貫通させるための穴２５ａが形成されている。下ケース２２の底面に設けられた凹部２２ａ内に配置された芳香カプセル３は、プリント基板２５の穴２５ａを貫通し、凹部２２ａに圧入固着されたキャップ４によって所定の位置に固定されている。
なお、キャップ４を凹部２２ａから取り外すと、芳香カプセル３は入力装置部２から取り出すことができる状態となる。すなわち、キャップ４を取り外すことにより、芳香カプセル３を交換できる状態となる。
【００２４】
携帯情報端末が開かれた状態では、芳香カプセル３とボタン２１ａとは接触しておらず、芳香剤３１ａから発せられた芳香は、穴３ａをから芳香カプセル３の外へ流出し、外部に放出される。
【００２５】
図３に、本実施形態にかかる携帯情報端末を折り畳んだ状態を示す。携帯情報端末を折り畳んだ状態では、凸部１４がボタン２１ａを下方に押下して芳香カプセル３の円錐部に形成された穴３ａを塞いでいる。このため、折り畳み状態においては、芳香剤３１ａから発せられた芳香は、芳香カプセル３から放出されない。
なお、ボタン２１ａは弾性体によって形成されているため、折り畳み状態において表示装置部１と入力装置部２との干渉（接触）を防ぎ、これによる塗装剥がれを防止できる。このように、ボタン２１ａに緩衝材としての機能を持たせることにより、部品点数が削減され構造を簡略化できる。本実施形態においては、ボタン２１ａをキーボード２ａと一体に形成しているため、部品点数をさらに削減することが可能である。
【００２６】
本実施形態にかかる携帯情報端末は、芳香の発散という付加価値を備えたものである上に、端末を折り畳んだ状態においては芳香剤が発散しないため、芳香剤を無駄に消費させてしまうことがない。
さらに、芳香カプセルを交換可能な構造であるため、他人とは異なる芳香を発する個性的な携帯端末とすることが可能である。
加えて、センサなどを必要としない簡単な構成で芳香の発散の制御を行えるため、装置の小型化・軽量化が可能である。
【００２７】
このように、本実施形態にかかる携帯情報端末は、構造が簡単な上にユーザの嗜好に応じた芳香を端末使用時のみ発散させることができる。
【００２８】
〔第２の実施形態〕
本発明を好適に実施した第２の実施形態について説明する。本実施形態にかかる携帯情報端末は、図１に示した第１の実施形態と同様に、表示装置部１と入力装置部２とがヒンジ部１５を介して折り畳まれる構造である。
【００２９】
図４に、表示装置部１の部分断面を示す。本実施形態においては、ボタン２１ａが上ケース１１から突出するように、表示装置部１に設けられている。ボタン２１ａは、弾性体（例えばゴム）で形成されており、画面の法線方向に所定量可動可能に配置されている。
【００３０】
モールド形成された芳香カプセル３’には、固形の芳香剤３１ａが内臓されており、頂点に穴３ａが形成された円錐部が設けられている。また、表示装置部１に内蔵されたプリント基板１８は、ボタン２１ａの直下に芳香カプセル３を貫通させるための穴１８ａが形成されている。上ケース１２の天面に設けられた凹部１２ａ内に配置された芳香カプセル３’は、プリント基板１８の穴１８ａを貫通し、凹部１２ａに圧入固着されたキャップ４によって所定の位置に固定されている。
なお、キャップ４’を凹部１２ａから取り外すと、芳香カプセル３は入力装置部２から取り出すことができる状態となる。
【００３１】
携帯情報端末を開いた状態では、芳香カプセル３’とボタン２１ａとは接触しておらず、芳香剤３１ａから発せられた芳香は、穴３ａをから芳香カプセル３’の外へ流出し、外部に放出される。
【００３２】
一方、携帯情報端末を折り畳むと、入力装置部２と接触して表示装置部１の内部に押し込まれたボタン２１ａは、芳香カプセル３’の円錐部の頂点に形成された穴３ａを塞ぐ。このため、折り畳み状態においては、芳香剤３１ａから発せられた芳香は、芳香カプセル３’から放出されない。
なお、ボタン２１ａは弾性体によって形成されているため、折り畳み状態において表示装置部１と入力装置部２との干渉（接触）を防ぎ、これによる塗装剥がれを防止できる。
【００３３】
本実施形態にかかる携帯情報端末は、芳香を発散させる機能という付加価値を有するものである上に、端末を折り畳んだ状態においては、芳香剤が発散しないため、芳香剤を無駄に消費してしまうことがない。
さらに、芳香カプセルを交換可能な構造であるため、他人とは異なる芳香を発する個性的な携帯端末とすることが可能である。
加えて、センサなどを必要としない簡単な構成で芳香の発散の制御を行えるため、装置の小型化・軽量化が可能である。
また、芳香カプセル３’を表示装置部１側に配置したことにより、入力装置部２側に芳香の発散を制御するためのボタンを設ける必要が無くなり、携帯情報端末をデザインする上での制約が緩和される。なお、ユーザが携帯情報端末を使用する場合には、入力装置部２を介して入力操作を行うため、表示装置部１からボタン２１ａが突出していても、操作の妨げとなることはない。
【００３４】
このように、本実施形態にかかる情報処理端末は、構造が簡単な上に、ユーザの嗜好に応じた芳香を端末使用時のみ発散させることが可能である。
【００３５】
〔第３の実施形態〕
本発明を好適に実施した第３の実施形態について説明する。本実施形態にかかる携帯情報端末は、第１の実施形態と同様に表示装置部１と入力装置部２とがヒンジ部１５を介して連結された構成である。
【００３６】
図５に、本実施形態にかかる携帯情報端末を開いた状態での要部の断面を示す。
本実施形態において、芳香剤３１ａを内蔵した芳香カプセル３’’は、ヒンジ部１５内に収納されており、ヒンジ部１５とともに回動する。また、芳香カプセル３’’には穴３ａが形成されており、穴３ａはヒンジ部１５に形成された穴１ａと連通している。
なお、芳香カプセル３’’を交換する場合には、上ケース１１と上カバー１２とを分離した上で芳香カプセル３’’を交換すればよい。
【００３７】
携帯情報端末を開いた状態の場合、穴１ａは露出するため、芳香剤３１から発せられた芳香は、穴３ａ及び穴１ａを介して芳香カプセル３’’の外部に放出される。
【００３８】
図６に、携帯情報端末を折り畳んだ状態での要部の断面を示す。端末を開いた状態では露出していた穴１ａは、折り畳み状態においては、下カバー２１と相対する位置に移動する。下カバー２１のヒンジ部１５と対向する面には、弾性体で形成されたクッション２７が両面テープなどによって所定の位置に配置されているため、穴１ａはクッション２７によって塞がれる。このため、折り畳み状態においては、芳香剤３１ａから発せられた芳香は、芳香カプセル３’’から放出されない。
【００３９】
本実施形態にかかる携帯情報端末は、芳香を発散させる機能という付加価値を有するものである上に、端末を折り畳んだ状態においては、芳香剤が発散しないため、芳香剤を無駄に消費してしまうことがない。
さらに、芳香カプセルを交換可能な構造であるため、他人とは異なる芳香を発する個性的な携帯端末とすることが可能である。
加えて、センサなどを必要としない簡単な構成で芳香の発散の制御を行えるため、装置の小型化・軽量化が可能である。
また、芳香カプセルをヒンジ部１５に収納したことにより、表示装置部１及び入力装置部２のいずれにも芳香剤の発散を制御するためのボタンを設ける必要が無く、携帯情報端末をデザインする上での制約が緩和される。
【００４０】
このように、本実施形態にかかる携帯情報端末は、構造が簡単な上にユーザの嗜好に応じた芳香を端末使用時にのみ発散させることが可能である。
【００４１】
なお、上記各実施形態は本発明の好適な実施の一例であり、本発明はこれに限定されることはない。
【００４２】
例えば、上記実施形態においては、本発明を携帯情報端末に適用した場合を例に説明を行ったが、本発明は携帯電話端末を始めとしたあらゆる携帯端末に適用可能である。本発明を折り畳み式携帯電話端末に適用した場合は、ユーザの顔に近接した状態で使用されるため、芳香カプセルを小型化し、端末の小型化・軽量化を図ることができる。
【００４３】
また、芳香カプセルやボタンの形状は図示したものに限定されることはない。例えば、上記第１及び第２の実施形態においては、芳香カプセル３、３’が円錐部を備えた形状である場合を例に説明を行ったが、芳香カプセル３、３’は凸部１４と当接可能であればどのような形状であっても良く、凸字状であってもよい。
【００４４】
さらに、上記各実施形態においては、芳香剤３１ａが固形である場合を例に説明を行ったが、芳香剤は必ずしも固形である必要はなく、ゲル状であってもよい。また、液状の芳香剤をスポンジなどの吸水性のある物質に含ませたものであってもよい。
このように、本発明は様々な変形が可能である。
【００４５】
【発明の効果】
以上の説明によって明らかなように、本発明によれば、ユーザの嗜好に応じた芳香を端末使用時のみ発散する折り畳み型携帯端末を簡単な構造で提供できる。
【図面の簡単な説明】
【図１】本発明を好適に実施した第１の実施形態にかかる携帯情報端末の構成を示す図である。
【図２】第１の実施形態にかかる携帯情報端末を開いた状態での断面を示す図である。
【図３】第１の実施形態にかかる携帯情報端末を折り畳んだ状態での断面を示す図である。
【図４】本発明を好適に実施した第２の実施形態にかかる携帯情報端末の要部の断面を示す図である。
【図５】本発明を好適に実施した第３の実施形態にかかる携帯情報端末の開いた状態での要部の断面を示す図である。
【図６】第３の実施形態にかかる携帯情報端末を折り畳んだ状態での要部の断面を示す図である。
【符号の説明】
１  表示装置部
１ａ、３ａ、１５ａ、２５ａ  穴
２  入力装置部
２ａ  キーボード
３、３’、３’’  芳香カプセル
４、４’  キャップ
１１  上ケース
１２  上カバー
１２ａ、２２ａ、２３  凹部
１３  鉤部
１４  凸部
１５  ヒンジ部
１８、２５  プリント基板
２１  カバー
２１ａ、２４  ボタン
２２  下ケース
２７  クッション
３１ａ  芳香剤
【図１】
2004157856.tif 000003
【図２】
2004157856.tif 000004
【図３】
2004157856.tif 000005
【図４】
2004157856.tif 000006
【図５】
2004157856.tif 000007
【図６】
2004157856.tif 000008